(57)【特許請求の範囲】
【請求項１】
自車位置を検知する位置検知機能部（４０）と、所定条件が満たされると乗員に報知を行う制御部（７）とを有する鞍乗型車両（１）に適用される鞍乗型車両の路面状況報知装置において、
前記制御部（７）は、
自車位置から所定距離内の路面が濡れているか否かの情報であるウェット路情報（５１）と、濡れた際の摩擦係数が通常舗装路（７０，８０）より低い値となるウェット時低μ路（Ｍ１，Ｍ２，Ｍ３，Ｍ４，Ｍ５，Ｍ６，Ｍ７，Ｍ８）の位置情報（４１，５５）とを取得し、
前記自車位置の周辺の路面が濡れており、かつ前記ウェット時低μ路（Ｍ１，Ｍ２，Ｍ３，Ｍ４，Ｍ５，Ｍ６，Ｍ７，Ｍ８）に近づいたときに乗員に報知を行い、
前記制御部（７）は、前記自車位置の周辺の路面が濡れており、道路の交差点（７３）に所定時間内に到達すると予測され、かつ前記交差点（７３）に前記ウェット時低μ路（Ｍ２，Ｍ３，Ｍ４，Ｍ５）が存在するときに報知を行い、
前記鞍乗型車両（１）が、ウインカ装置（７０，７１）を操作するウインカスイッチ（３３）を備え、
前記制御部（７）は、前記自車位置の周辺の路面が濡れており、前記交差点（７３）に所定時間内に到達すると予測され、かつ前記ウインカスイッチ（３３）が操作され、さらに、前記ウインカ装置（７０，７１）の作動方向に右折または左折した後の進行経路上に前記ウェット時低μ路（Ｍ４，Ｍ５）が存在するときに報知を行うことを特徴とする鞍乗型車両の路面状況報知装置。
【請求項２】
自車位置を検知する位置検知機能部（４０）と、所定条件が満たされると乗員に報知を行う制御部（７）とを有する鞍乗型車両（１）に適用される鞍乗型車両の路面状況報知装置において、
前記制御部（７）は、
自車位置から所定距離内の路面が濡れているか否かの情報であるウェット路情報（５１）と、濡れた際の摩擦係数が通常舗装路（７０，８０）より低い値となるウェット時低μ路（Ｍ１，Ｍ２，Ｍ３，Ｍ４，Ｍ５，Ｍ６，Ｍ７，Ｍ８）の位置情報（４１，５５）とを取得し、
前記自車位置の周辺の路面が濡れており、かつ前記ウェット時低μ路（Ｍ１，Ｍ２，Ｍ３，Ｍ４，Ｍ５，Ｍ６，Ｍ７，Ｍ８）に近づいたときに乗員に報知を行い、
前記制御部（７）は、前記自車位置の周辺の路面が濡れており、道路の交差点（７３）に所定時間内に到達すると予測され、かつ前記交差点（７３）に前記ウェット時低μ路（Ｍ２，Ｍ３，Ｍ４，Ｍ５）が存在するときに報知を行い、
前記制御部（７）は、前記自車位置の周辺の路面が濡れており、前記交差点（７３）に所定時間内に到達すると予測され、かつナビゲーション装置が案内する右折または左折後の進行経路上に前記ウェット時低μ路（Ｍ４，Ｍ５）が存在するときに報知を行うことを特徴とする鞍乗型車両の路面状況報知装置。
【請求項３】
前記鞍乗型車両（１）が、ネットワーク通信部（４３）を備え、
前記制御部（７）は、前記ネットワーク通信部（４３）を介して、外部のシステムサーバ（５０）または周辺走行車両（６０）から前記ウェット路情報（５１，６１）を取得することを特徴とする請求項１または２に記載の鞍乗型車両の路面状況報知装置。
【請求項４】
前記鞍乗型車両（１）が、駆動輪（ＷＲ）の駆動力を調整するトラクションコントロールシステム（１５）を備え、
前記制御部（７）は、前記報知を行う際に、前記駆動輪（ＷＲ）のスリップを抑えるように前記トラクションコントロールシステム（１５）を作動させることを特徴とする請求項１ないし３のいずれかに記載の鞍乗型車両の路面状況報知装置。
【請求項５】
前記鞍乗型車両（１）が、乗員に対する報知の手段として、運転者（Ｐ）のヘルメット（２４）周辺に設けられるワイヤレススピーカ（２３）、運転者（Ｐ）のヘルメット（２４）周辺に設けられるヘッドマウントディスプレイ（２５）、運転者（Ｐ）の前方で車体に設けられるヘッドアップディスプレイ（４）、メータ装置（２８）のメータインジケータ（３９）、運転者（Ｐ）の身体に触れるハプティックデバイス（Ｈ）のうちの少なくとも１つ以上を有することを特徴とする請求項１ないし４のいずれかに記載の鞍乗型車両の路面状況報知装置。
【請求項６】
前記ウェット時低μ路（Ｍ１，Ｍ２，Ｍ３，Ｍ４，Ｍ５，Ｍ６，Ｍ７，Ｍ８）の位置情報（４１）は、前記制御部（７）に記憶されていることを特徴とする請求項１ないし５のいずれかに記載の鞍乗型車両の路面状況報知装置。
【請求項７】
前記ウェット時低μ路（Ｍ１，Ｍ２，Ｍ３，Ｍ４，Ｍ５，Ｍ６，Ｍ７，Ｍ８）の位置情報（５５）は、前記制御部（７）に設けられたネットワーク通信部（４３）を用いて外部のシステムサーバ（５５）から取得される
ことを特徴とする請求項１ないし６のいずれかに記載の鞍乗型車両の路面状況報知装置。
【発明の詳細な説明】
【技術分野】
【０００１】
本発明は、鞍乗型車両の路面状況報知装置並びに鞍乗型車両の路面状況判断装置に係り、特に、ナビゲーション装置を用いて特定の路面情報を乗員に報知するようにした鞍乗型車両の路面状況報知装置並びに鞍乗型車両の路面状況判断装置に関する。
【背景技術】
【０００２】
従来から、ＧＰＳ（Global Positioning System：全地球測位システム）で検知した自車位置と道路地図情報とを組み合わせて所望経路の案内を行うナビゲーション装置において、予め設定された箇所が近づいたことを乗員に報知するようにした構成が知られている。
【０００３】
特許文献１には、過去に発生した事故の情報を道路地図情報に付加しておき、事故発生個所が近づき、かつ車速やステアリング角度、ブレーキ操作等の予め定められた条件が満たされている場合に乗員に報知を行うナビゲーション装置が開示されている。この構成によれば、事故発生個所が近づいた場合でも、例えば、車速が所定値を超えている等の必要性が高い場合にのみ報知を行うことができる。
【先行技術文献】
【特許文献】
【０００４】
【特許文献１】特開２００１−２５６５９８号公報
【発明の概要】
【発明が解決しようとする課題】
【０００５】
ところで、近年では、自動二輪車／三輪車のような鞍乗型車両にもナビゲーション装置が取り付けられることがあり、特許文献１のような報知システムの導入も可能である。
【０００６】
この点、旋回走行時に車体を傾けてバランスを取り、タイヤの接地面積も小さい自動二輪車／三輪車のような鞍乗型車両は、四輪自動車に比して路面状況の影響を受けやすいことから、特許文献１の「事故発生個所」とは異なる視点からの報知を行うことが考えられる。しかし、特許文献１のナビゲーション装置では、鞍乗型車両に特化した路面情報の報知をその必要性が高い場合にのみ行うことは検討されていなかった。
【０００７】
本発明の目的は、上記従来技術の課題を解決し、鞍乗型車両の特性を考慮した路面状況の報知を特定の状況にのみ行うことができる鞍乗型車両の路面状況報知装置並びに鞍乗型車両の路面状況判断装置を提供することにある。
【課題を解決するための手段】
【０００８】
前記目的を達成するために、本発明は、自車位置を検知する位置検知機能部（４０）と、所定条件が満たされると乗員に報知を行う制御部（７）とを有する鞍乗型車両（１）に適用される鞍乗型車両の路面状況報知装置において、前記制御部（７）は、自車位置から所定距離内の路面が濡れているか否かの情報であるウェット路情報（５１）と、濡れた際の摩擦係数が通常舗装路（７０，８０）より低い値となるウェット時低μ路（Ｍ１，Ｍ２，Ｍ３，Ｍ４，Ｍ５，Ｍ６，Ｍ７，Ｍ８）の位置情報（４１，５５）とを取得し、前記自車位置の周辺の路面が濡れており、かつ前記ウェット時低μ路（Ｍ１，Ｍ２，Ｍ３，Ｍ４，Ｍ５，Ｍ６，Ｍ７，Ｍ８）に近づいたときに乗員に報知を行う点に第１の特徴がある。
【０００９】
また、前記制御部（７）は、前記自車位置の周辺の路面が濡れており、道路の交差点（７３）に所定時間内に到達すると予測され、かつ前記交差点（７３）に前記ウェット時低μ路（Ｍ２，Ｍ３，Ｍ４，Ｍ５）が存在するときに報知を行う点に第２の特徴がある。
【００１０】
また、前記鞍乗型車両（１）が、ウインカ装置（７０，７１）を操作するウインカスイッチ（３３）を備え、前記制御部（７）は、前記自車位置の周辺の路面が濡れており、前記交差点（７３）に所定時間内に到達すると予測され、かつ前記ウインカスイッチ（３３）が操作され、さらに、前記ウインカ装置（７０，７１）の作動方向に右折または左折した後の進行経路上に前記ウェット時低μ路（Ｍ４，Ｍ５）が存在するときに報知を行う点に第３の特徴がある。
【００１１】
また、前記制御部（７）は、前記自車位置の周辺の路面が濡れており、前記交差点（７３）に所定時間内に到達すると予測され、かつナビゲーション装置が案内する右折または左折後の進行経路上に前記ウェット時低μ路（Ｍ４，Ｍ５）が存在するときに報知を行う点に第４の特徴がある。
【００１２】
また、前記制御部（７）は、前記自車位置の周辺の路面が濡れており、所定値を超える曲率を有するカーブ路（８０）に所定時間内に到達すると予測され、かつ前記カーブ路（８０）に前記ウェット時低μ路（Ｍ７）が存在するときに報知を行う点に第５の特徴がある。
【００１３】
また、前記鞍乗型車両（１）が、車体のロール角を検出するロール角検出手段（１４）を備え、前記制御部（７）は、前記自車位置の周辺の路面が濡れており、前記ウェット時低μ路（Ｍ１，Ｍ２，Ｍ３，Ｍ４，Ｍ５，Ｍ６，Ｍ７，Ｍ８）に所定時間内に到達すると予測され、かつ前記ロール角が所定値より大きいときに報知を行う点に第６の特徴がある。
【００１４】
また、前記鞍乗型車両（１）が、動力源のスロットル開度を検出するスロットル開度センサ（３７）を備え、前記制御部（７）は、前記自車位置の周辺の路面が濡れており、前記ウェット時低μ路（Ｍ１，Ｍ２，Ｍ３，Ｍ４，Ｍ５，Ｍ６，Ｍ７，Ｍ８）に所定時間内に到達すると予測され、かつ前記スロットル開度が所定値より大きいときに報知を行う点に第７の特徴がある。
【００１５】
また、前記鞍乗型車両（１）が、ブレーキ装置の操作を検出するブレーキ操作検出部（２９，３８）を備え、前記制御部（７）は、前記自車位置の周辺の路面が濡れており、前記ウェット時低μ路（Ｍ１，Ｍ２，Ｍ３，Ｍ４，Ｍ５，Ｍ６，Ｍ７，Ｍ８）に所定時間内に到達すると予測され、かつ前記ブレーキ操作検出部（２９，３８）がブレーキ操作を検出したときに報知を行う点に第８の特徴がある。
【００１６】
また、前記鞍乗型車両（１）が、ネットワーク通信部（４３）を備え、前記制御部（７）は、前記ネットワーク通信部（４３）を介して、外部のシステムサーバ（５０）または周辺走行車両（６０）から前記ウェット路情報（５１，６１）を取得する点に第９の特徴がある。
【００１７】
また、前記鞍乗型車両（１）が、駆動輪（ＷＲ）の駆動力を調整するトラクションコントロールシステム（１５）を備え、前記制御部（７）は、前記報知を行う際に、前記駆動輪（ＷＲ）のスリップを抑えるように前記トラクションコントロールシステム（１５）を作動させる点に第１０の特徴がある。
【００１８】
また、前記鞍乗型車両（１）が、乗員に対する報知の手段として、運転者（Ｐ）のヘルメット（２４）周辺に設けられるワイヤレススピーカ（２３）、運転者（Ｐ）のヘルメット（２４）周辺に設けられるヘッドマウントディスプレイ（２５）、運転者（Ｐ）の前方で車体に設けられるヘッドアップディスプレイ（４）、メータ装置（２８）のメータインジケータ（３９）、運転者（Ｐ）の身体に触れるハプティックデバイス（Ｈ）のうちの少なくとも１つ以上を有する点に第１１の特徴がある。
【００１９】
また、前記ウェット時低μ路（Ｍ１，Ｍ２，Ｍ３，Ｍ４，Ｍ５，Ｍ６，Ｍ７，Ｍ８）の位置情報（４１）は、前記制御部（７）に記憶されている点に第１２の特徴がある。
【００２０】
また、前記ウェット時低μ路（Ｍ１，Ｍ２，Ｍ３，Ｍ４，Ｍ５，Ｍ６，Ｍ７，Ｍ８）の位置情報（５５）は、前記制御部（７）に設けられたネットワーク通信部（４３）を用いて外部のシステムサーバ（５５）から取得される点に第１３の特徴がある。
【００２１】
さらに、自車位置を検知する位置検知機能部（４０）と、所定条件が満たされると乗員に報知を行う制御部（７）とを有する鞍乗型車両（１）に適用される鞍乗型車両の路面状況判断装置において、前記制御部（７）は、自車位置から所定距離内の路面が濡れているか否かの情報であるウェット路情報（５１）と、濡れた際の摩擦係数が通常舗装路（７０，８０）より低い値となるウェット時低μ路（Ｍ１，Ｍ２，Ｍ３，Ｍ４，Ｍ５，Ｍ６，Ｍ７，Ｍ８）の位置情報（４１，５５）とを取得し、前記自車位置の周辺の路面が濡れており、かつ前記ウェット時低μ路（Ｍ１，Ｍ２，Ｍ３，Ｍ４，Ｍ５，Ｍ６，Ｍ７，Ｍ８）に近づいたと判断する点に第１４の特徴がある。
【発明の効果】
【００２２】
第１の特徴によれば、前記制御部（７）は、自車位置から所定距離内の路面が濡れているか否かの情報であるウェット路情報（５１）と、濡れた際の摩擦係数が通常舗装路（７０，８０）より低い値となるウェット時低μ路（Ｍ１，Ｍ２，Ｍ３，Ｍ４，Ｍ５，Ｍ６，Ｍ７，Ｍ８）の位置情報（４１，５５）とを取得し、前記自車位置の周辺の路面が濡れており、かつ前記ウェット時低μ路（Ｍ１，Ｍ２，Ｍ３，Ｍ４，Ｍ５，Ｍ６，Ｍ７，Ｍ８）に近づいたときに乗員に報知を行うので、マンホールに代表されるウェット時低μ路が近づいても、スリップの可能性が低いドライ状態での報知を抑えて乗員の快適性を高めると共に、ウェット状態ではマンホールが近づいていることを運転者に報知することが可能となる。
【００２３】
第２の特徴によれば、前記制御部（７）は、前記自車位置の周辺の路面が濡れており、道路の交差点（７３）に所定時間内に到達すると予測され、かつ前記交差点（７３）に前記ウェット時低μ路（Ｍ２，Ｍ３，Ｍ４，Ｍ５）が存在するときに報知を行うので、車両の速度や姿勢が変化しやすい交差点にウェット時低μ路があることを報知の付加条件とすることで、より状況を絞って報知を行うことができる。
【００２４】
第３の特徴によれば、前記鞍乗型車両（１）が、ウインカ装置（７０，７１）を操作するウインカスイッチ（３３）を備え、前記制御部（７）は、前記自車位置の周辺の路面が濡れており、前記交差点（７３）に所定時間内に到達すると予測され、かつ前記ウインカスイッチ（３３）が操作され、さらに、前記ウインカ装置（７０，７１）の作動方向に右折または左折した後の進行経路上に前記ウェット時低μ路（Ｍ４，Ｍ５）が存在するときに報知を行うので、ウインカスイッチの操作信号を用いて自車が交差点を右折または左折することを予測し、交差点を曲がった先にウェット時低μ路があることを付加条件とすることで、より状況を絞って報知を行うことができる。これにより、交差点を右折または左折した後の走行経路上にウェット時低μ路が存在しても、ウェット時低μ路を通過しないと予測される場合は報知を行わないようにし、より状況を絞って報知を行うことができる。
【００２５】
第４の特徴によれば、前記制御部（７）は、前記自車位置の周辺の路面が濡れており、前記交差点（７３）に所定時間内に到達すると予測され、かつナビゲーション装置が案内する右折または左折後の進行経路上に前記ウェット時低μ路（Ｍ４，Ｍ５）が存在するときに報知を行うので、ナビゲーション装置を用いて自車が交差点を右折または左折することを予測し、交差点を曲がった先にウェット時低μ路があることを付加条件とすることで、より必要性の高いシーンに絞って報知を行うことができる。これにより、交差点を右折または左折した後の走行経路上にウェット時低μ路が存在しても、ウェット時低μ路を通過しないと予測される場合は報知を行わないようにし、より状況を絞って報知を行うことができる。
【００２６】
第５の特徴によれば、前記制御部（７）は、前記自車位置の周辺の路面が濡れており、所定値を超える曲率を有するカーブ路（８０）に所定時間内に到達すると予測され、かつ前記カーブ路（８０）に前記ウェット時低μ路（Ｍ７）が存在するときに報知を行うので、鞍乗型車両がカーブ路で旋回方向に傾きながら走行することに対応し、カーブ路にウエット時低μ路があることを付加条件とすることで、より必要性の高いシーンに絞って報知を行うことができる。
【００２７】
第６の特徴によれば、前記鞍乗型車両（１）が、車体のロール角を検出するロール角検出手段（１４）を備え、前記制御部（７）は、前記自車位置の周辺の路面が濡れており、前記ウェット時低μ路（Ｍ１，Ｍ２，Ｍ３，Ｍ４，Ｍ５，Ｍ６，Ｍ７，Ｍ８）に所定時間内に到達すると予測され、かつ前記ロール角が所定値より大きいときに報知を行うので、鞍乗型車両がロール角の大きい状態での旋回走行に対応し、ロール角が大きいことを報知の付加条件とすることで、より状況を絞って報知を行うことができる。
【００２８】
第７の特徴によれば、前記鞍乗型車両（１）が、動力源のスロットル開度を検出するスロットル開度センサ（３７）を備え、前記制御部（７）は、前記自車位置の周辺の路面が濡れており、前記ウェット時低μ路（Ｍ１，Ｍ２，Ｍ３，Ｍ４，Ｍ５，Ｍ６，Ｍ７，Ｍ８）に所定時間内に到達すると予測され、かつ前記スロットル開度が所定値より大きいときに報知を行うので、ウェット時低μ路では、スロットル開度が大きく車輪の駆動力が増加することに対応し、スロットル開度が大きいことを報知の付加条件とすることで、より状況を絞って報知を行うことができる。
【００２９】
第８の特徴によれば、前記鞍乗型車両（１）が、ブレーキ装置の操作を検出するブレーキ操作検出部（２９，３８）を備え、前記制御部（７）は、前記自車位置の周辺の路面が濡れており、前記ウェット時低μ路（Ｍ１，Ｍ２，Ｍ３，Ｍ４，Ｍ５，Ｍ６，Ｍ７，Ｍ８）に所定時間内に到達すると予測され、かつ前記ブレーキ操作検出部（２９，３８）がブレーキ操作を検出したときに報知を行うので、ウェット時低μ路では、ブレーキ制動力が発生した状態であることに対応し、ブレーキ操作があることを報知の付加条件とすることで、より状況を絞って報知を行うことができる。
【００３０】
第９の特徴によれば、前記鞍乗型車両（１）が、ネットワーク通信部（４３）を備え、前記制御部（７）は、前記ネットワーク通信部（４３）を介して、外部のシステムサーバ（５０）または周辺走行車両（６０）から前記ウェット路情報（５１，６１）を取得するので、ウェット路面情報を鞍乗型車両の外部から取得することで、常に最新のウェット路情報を得ることができる。
【００３１】
第１０の特徴によれば、前記鞍乗型車両（１）が、駆動輪（ＷＲ）の駆動力を調整するトラクションコントロールシステム（１５）を備え、前記制御部（７）は、前記報知を行う際に、前記駆動輪（ＷＲ）のスリップを抑えるように前記トラクションコントロールシステム（１５）を作動させるので、乗員への報知だけでなく、トラクションコントロールシステムを作動させることで、駆動力を最適にすることが可能となる。
【００３２】
第１１の特徴によれば、前記鞍乗型車両（１）が、乗員に対する報知の手段として、運転者（Ｐ）のヘルメット（２４）周辺に設けられるワイヤレススピーカ（２３）、運転者（Ｐ）のヘルメット（２４）周辺に設けられるヘッドマウントディスプレイ（２５）、運転者（Ｐ）の前方で車体に設けられるヘッドアップディスプレイ（４）、メータ装置（２８）のメータインジケータ（３９）、運転者（Ｐ）の身体に触れるハプティックデバイス（Ｈ）のうちの少なくとも１つ以上を有するので、ウェット時低μ路であることの報知を効果的に行うことが可能となる。
【００３３】
第１２の特徴によれば、前記ウェット時低μ路（Ｍ１，Ｍ２，Ｍ３，Ｍ４，Ｍ５，Ｍ６，Ｍ７，Ｍ８）の位置情報（４１）は、前記制御部（７）に記憶されているので、例えば、ネットワーク通信を介してウェット時低μ路の位置情報を取得する場合に比して、ウェット時低μ路の位置情報と自車位置とを照合する処理速度を速めることができる。
【００３４】
第１３の特徴によれば、前記ウェット時低μ路（Ｍ１，Ｍ２，Ｍ３，Ｍ４，Ｍ５，Ｍ６，Ｍ７，Ｍ８）の位置情報（５５）は、前記制御部（７）に設けられたネットワーク通信部（４３）を用いて外部のシステムサーバ（５５）から取得されるので、最新のウェット時低μ路の位置情報を取得することができ、報知の精度を高めることができる。
【００３５】
第１４の特徴によれば、前記制御部（７）は、自車位置から所定距離内の路面が濡れているか否かの情報であるウェット路情報（５１）と、濡れた際の摩擦係数が通常舗装路（７０，８０）より低い値となるウェット時低μ路（Ｍ１，Ｍ２，Ｍ３，Ｍ４，Ｍ５，Ｍ６，Ｍ７，Ｍ８）の位置情報（４１，５５）とを取得し、前記自車位置の周辺の路面が濡れており、かつ前記ウェット時低μ路（Ｍ１，Ｍ２，Ｍ３，Ｍ４，Ｍ５，Ｍ６，Ｍ７，Ｍ８）に近づいたと判断するので、マンホールに代表されるウェット時低μ路が近づいたことを検出することが可能となる。
【図面の簡単な説明】
【００３６】
【図１】鞍乗型車両の路面状況報知装置を適用した自動二輪車の左側面図である。
【図２】乗員の視点から見た自動二輪車のハンドルまわりの構造図である。
【図３】鞍乗型車両の路面状況報知装置のシステム構成図である。
【図４】鞍乗型車両の路面状況報知装置の変形例を示すシステム構成図である。
【図５】交差点にウェット時低μ路が存在する場合の報知の条件を示す概念図である。
【図６】カーブ路にウェット時低μ路が存在する場合の報知の条件を示す概念図である。
【図７】ウェット時低μ路ウォーニング制御の手順を示すフローチャートである。
【図８】交差点ウォーニング制御の手順を示すフローチャートである。
【図９】カーブ路ウォーニング制御の手順を示すフローチャートである。
【発明を実施するための形態】
【００３７】
以下、図面を参照して本発明の好ましい実施の形態について詳細に説明する。図１は、本発明の一実施形態に係る鞍乗型車両の路面状況報知装置を適用した自動二輪車１の左側面図である。自動二輪車１は、乗員Ｐの両足を乗せる低床フロア１３を有するスクータ型の鞍乗型車両である。前輪ＷＦを回転自在に軸支するフロントフォーク１２は、自動二輪車１の車体フレームに揺動可能に軸支されている。フロントフォーク１２の上部は、操向ハンドル２７に連結されている。
【００３８】
自動二輪車１の車体後方には、内燃機関および変速機を一体に構成したユニットスイング式のパワーユニット１７が揺動可能に取り付けられている。駆動輪としての後輪ＷＲを回転自在に軸支するパワーユニット１７の後端部は、リヤクッション１９によって車体フレームに吊り下げられている。パワーユニット１７の上部には、エアクリーナボックス１８が配設されている。
【００３９】
自動二輪車１の前部は、ヘッドライト１０が配設されたフロントカウル８で覆われている。フロントカウル８の上部には防風スクリーン６が設けられ、フロントカウル８の後部には、乗員Ｐの足に対向するフロアパネル３が設けられている。ヘッドライト１０の上部には、左右一対の前側ウインカ装置７０が配設されている。
【００４０】
フロントカウル８と低床フロア１３との間は、サイドカウル１１によって連結されている。低床フロア１３の後方上部には、シート２２を支持するリヤカウル２１が配設されている。リヤカウル２１の後端部には尾灯装置２０が取り付けられている。尾灯装置２０の下方には、左右一対の後側ウインカ装置７１が配設されている。
【００４１】
シート２２の下方の車幅方向中央の位置には、車体のロール角、ピッチ角およびヨーレートを検出可能な慣性センサ１４が設けられている。パワーユニット１７には、後輪ＷＲの駆動力を制御してタイヤのスリップを防ぐトラクションコントロールシステム１５と、後輪ＷＲの回転速度を検出する車速センサ１６とが設けられている。
【００４２】
フロントカウル８の内側には、内燃機関の出力制御等のほか、本願発明に係る路面状況の報知を行う制御部７が配設されている。防風スクリーン６の内側には降雨状態を検出する雨センサ９が配設され、防風スクリーン６と操向ハンドル２７との間には種々の情報を表示可能なヘッドアップディスプレイ５が配設されている。また、ヘッドアップディスプレイ５に替えて操向ハンドル２７等にスマートフォン等の通信機器４を取り付けることもできる。そして、乗員Ｐのヘルメット２４には、小型バッテリで駆動するスピーカ２３およびシールド２６に一体のヘッドマウントディスプレイ２５が配設されている。
【００４３】
図２は、乗員Ｐの視点から見た自動二輪車１のハンドルまわりの構造図である。防風スクリーン６と操向ハンドル２７との間には、速度計や距離計等を有するメータ装置２８が配設されている。メータ装置２８には、各種の情報表示、ランプの点灯や点滅で乗員に報知を行うメータインジケータ３９が設けられている。
【００４４】
操向ハンドル２７の右側には、右側ハンドルスイッチ３４、前輪ブレーキレバー３６、内燃機関のスロットル操作子である右側ハンドルグリップ３５が設けられている。前輪ブレーキレバー３６の基部には、ブレーキ操作が行われたことを検知するブレーキ操作検出部としてのブレーキスイッチ３８が設けられている。右側ハンドルスイッチ３４の内部には、右側ハンドルグリップ３５の回動角度を検知するスロットル開度センサ３７が配設されている。また、右側ハンドルグリップ３５の内部には、ハプティックデバイスＨとしてのバイブレータ４６が設けられている。
【００４５】
操向ハンドル２７の左側には、左側ハンドルスイッチ３２、後輪ブレーキレバー３０、左側ハンドルグリップ３１が設けられている。左側ハンドルスイッチ３２には、前後のウインカ装置７０，７１を操作するウインカスイッチ３３が配設されている。後輪ブレーキレバー３０の基部には、ブレーキ操作が行われたことを検知するブレーキスイッチ２９が設けられている。左側ハンドルグリップ３１の内部には、ハプティックデバイスＨとしてのバイブレータ４６が設けられている。
【００４６】
図３は、本実施形態に係る鞍乗型車両の路面状況報知装置（鞍乗型車両の路面状況判断装置）のシステム構成図である。本実施形態に係る鞍乗型車両の路面状況報知装置は、アスファルトやコンクリート等の普通舗装路上に配設される、マンホールの蓋、工事現場の鉄板、線路、道路の継ぎ目等、特に雨天時に滑りやすくなる「ウェット時低μ路」が近づいた際にこれを乗員に報知するものである。これにより、事前に「ウェット時低μ路」を認知することができる。さらに、本実施形態では、報知の必要性が低いドライ時には報知を行わず、ウェット時にのみ報知を行う点に特徴がある。
【００４７】
制御部としての車載制御装置７には、位置検知機能部としてのＧＰＳ機能部４０、ウェット時低μ路情報４１、運転者側通信部４２、ネットワーク通信部４３、ウォーニング発生手段４４、ＣＡＮ信号送受信部４５が含まれる。ＧＰＳ機能部４０は、全地球測位システム（ＧＰＳ）によって経路案内（ナビゲーション）等に用いるための自車位置を検出する。ウェット時低μ路情報４１は、マンホールに代表されるウェット時低μ路の位置情報を含む地図からなる。運転者側通信部４２は、Bluetooth(登録商標)等の無線通信やＣＡＮ通信を介して、スピーカ２３、ヘッドマウントディスプレイ２５、ヘッドアップディスプレイ５、メータインジケータ３９、ハプティックデバイスＨ等からなるウォーニング出力装置Ｗの駆動信号を出力する。ハプティックデバイスＨは、ハンドルグリップ３１，３５に設けられたバイブレータ４６のほか、シート下のバイブレータ、スロットルグリップの回動摩擦調整装置または反力発生装置等を含むことができる。
【００４８】
ネットワーク通信部４３は、無線通信器を介してインターネットへの接続を行う。ウォーニング発生手段４４は、ウェット時低μ路が所定距離内に近づいたり、ウェット時低μ路に所定時間内に到達すると予測された場合等に、運転者側通信部４２を介してウォーニング出力装置Ｗを駆動し、乗員への報知を行う。また、ＣＡＮ信号送受信部４５は、ブレーキ操作検出部としてのブレーキスイッチ２９，３８、車速センサ１６、ウインカスイッチ３３、慣性センサ１４、雨センサ９、スロットル開度センサ４６の出力信号を受信すると共に、トラクションコントロールシステム１５の作動信号を出力する。トラクションコントロールシステム１５は、燃料噴射や点火のカット、スロットルバイワイヤ方式のスロットルバルブを駆動する等によって、内燃機関の駆動力を低減してスリップを防止するシステムである。なお、トラクションコントロールシステムのほか、制動力制御装置、電子制御サスペンションや電子制御ステアリング装置等により車体挙動を制御システムを適用してもよい。
【００４９】
本実施形態では、ネットワーク通信部４３がインターネットを介してシステムサーバ５０にアクセス可能に構成されている。システムサーバ５０には、ウェット路情報５１、サーバ側ウェット時低μ路情報５５が含まれる。
【００５０】
ウェット路情報５１には、他車が取得したウェット路情報５２およびインフラから取得したウェット路情報５３が含まれる。他車が取得したウェット路情報５２は、雨センサおよび無線通信器を有する他車からシステムサーバ５０にアップされたものであり、インフラから取得したウェット路情報５３は、天気予報情報や各地に配設された降雨センサ（雨量計）の情報がシステムサーバ５０にアップされたものである。車載制御装置７は、これらのウェット路情報に基づいて、自車の周囲の路面が濡れているか否かを認識することが可能となる。なお、ウェット路情報は、降雨に限られず、雪やひょうが降る、露が下りる、道路清掃車が走る、水道管や河川からの流水等、路面が濡れる原因となる種々の情報を含むことができる。また、ウェット路情報は、雨がやんでから路面が乾くまでにかかる時間、他車の乗員が投稿した現在の降雨状況、晴天でも残雪や凍結がある場合や凍結防止剤が散布されている場合等を考慮したものとすることができる。
【００５１】
サーバ側ウェット時低μ路情報５５は、マンホールや鉄板が新設された等、ウェット時低μ路の最新情報がアップされたものである。車載制御装置７は、システムサーバ５０に定期的（例えば、１日１回）にアクセスすることで、車載制御装置７に記憶されているウェット時低μ路情報４１を更新することができる。本実施形態では、通常走行時には車載制御装置７に記憶されたウェット時低μ路情報４１を用いて乗員への報知を行うため、サーバ側ウェット時低μ路情報５５に常時アクセスする方式に比して、報知に必要な処理速度を高めることが可能となる。
【００５２】
図４は、鞍乗型車両の路面状況報知装置の変形例を示すシステム構成図である。この変形例では、ネットワーク通信部４３が車々間通信（Ｖ２ＶやＶ２Ｘ通信）によって周辺走行車両６０からウェット路情報を取得する点に特徴がある。周辺走行車両６０のウェット路情報６１には、周辺走行車両がインフラから取得したウェット路情報６２および周辺走行車両が直接取得したウェット路情報６３が含まれる。周辺走行車両がインフラから取得したウェット路情報６２は、他車が取得した天気予報情報や各地に配設された降雨センサ（雨量計）の情報である。また、周辺走行車両が直接取得したウェット路情報６３は、周辺走行車両の雨センサによって取得されたウェット路情報である。
【００５３】
このような構成により、車載制御装置７は、システムサーバ５０や周辺走行車両６０から常に最新のウェット路情報を取得することができる。
【００５４】
図５は、交差点にウェット時低μ路が存在する場合の報知の条件を示す概念図である。道路７０を構成する自車線７１および対向車線７２の路面は、アスファルトやコンクリートからなる普通舗装路であり、この道路上に、ウェット時低μ路であるマンホールＭ１，Ｍ２，Ｍ３，Ｍ４，Ｍ５，Ｍ６が存在している。
【００５５】
この図では、自車である鞍乗型車両１が十字路の交差点７３に向かって走行中である。一般的に、交差点では、マンホールの有無にかかわらず、ブレーキ制動力や加速駆動力の発生、車体姿勢の変化等の事象が発生しやすい。本実施形態では、交差する道路の端部から所定距離Ｔの範囲を交差点７３として設定しており、この交差点７３内に４つのマンホールＭ２，Ｍ３，Ｍ４，Ｍ５が存在している。マンホールＭ１は交差点７３の手前側に位置し、マンホールＭ６は交差点７３の奥側に位置している。
【００５６】
鞍乗型車両１は、現在、マンホールＭ１の近傍を走行しているが、このマンホールＭ１に対しては、自車の周辺の路面が水に濡れており、かつマンホールＭ１が近づいた際に乗員に報知を行うことができる。この「近づいた」か否かの判断は、単に所定距離内に入った場合のほか、自車位置と車速情報とを用いて何秒後に到達するかという観点から行うことができる。一方、交差点７３のかなり手前にあるマンホールＭ１に対しては、乗員Ｐがブレーキを操作したり車体を傾けながら通過する可能性が低いと考えて、ウェット状態であっても報知を行わないように設定してもよい。このような設定は、交差点７３を直進通過した後の走行経路にあるマンホールＭ６にも同様に行うことができる。
【００５７】
本実施形態では、交差点７３にマンホールＭ２，Ｍ３，Ｍ４，Ｍ５が存在するため、ウェット路情報に基づいて自車の周辺の路面が濡れており、かつ所定時間内に交差点７３に到達すると判定されると、ウォーニング出力装置Ｗを駆動して乗員に報知を行う。換言すれば、自車の周辺の路面がウェット状態であっても交差点７３にマンホールが存在しない場合は報知を行わず、また、交差点７３にマンホールＭが存在してもドライ状態であれば報知を行わない。これにより、ウェット時低μ路であってもドライ状態では、報知を抑えて運転の快適性を高めることができる。
【００５８】
報知は、スピーカ２３による警告音、ヘッドマウントディスプレイ２５等の表示装置による警告表示、バイブレータ４６等のハプティックデバイスＨの駆動等によって実行される。なお、スピーカは車両に設けられたオーディオ用スピーカとしてもよい。
【００５９】
次に、報知条件の変形例として、交差点７３内にマンホールが存在しても、自車の走行経路上に存在しなければ報知しないとする付加条件を設けることができる。第１変形例としては、ウインカ装置７０，７１を操作するウインカスイッチ３３の操作信号に基づいて自車が交差点を右折または左折することを予測し、交差点を曲がった先にウェット時低μ路があることを付加条件とするものである。
【００６０】
例えば、交差点７３を左折した先のマンホールＭ４のみが存在している場合、交差点７３に所定時間内に到達すると予測され、かつウインカスイッチ３３が左折方向に操作された場合に報知が実行される。また、交差点７３を右折した先のマンホールＭ５のみが存在している場合、交差点７３に所定時間内に到達すると予測され、かつウインカスイッチ３３が右折方向に操作された場合に報知が実行される。すなわち、例えば、左折した先のマンホールＭ４のみが存在しているとき、ウインカスイッチ３３が操作されていない場合、または、ウインカスイッチ３３が右折方向に操作された場合には、マンホールＭ４を通過しないと予測して報知を行わないようにすることができる。
【００６１】
さらに、自車が交差点を右折または左折することの予測は、ナビゲーション装置の経路案内が実行中であれば、ナビゲーション装置の情報に基づいて行うことができる。すなわち、例えば、左折した先のマンホールＭ４のみが存在しているとき、ナビゲーション装置の案内経路が直進または右折である場合には、マンホールＭ４を通過しないと予測して報知を行わないようにすることができる。
【００６２】
対向車線７２にマンホールが存在する場合には、これを自車両が通過する可能性は低いとして、報知を行わないように設定することができる。なお、交差点の形態は、十字路に限られず三叉路や五叉路であってもよい。
【００６３】
図６は、カーブ路にウェット時低μ路が存在する場合の報知の条件を示す概念図である。カーブ路８０を構成する自車線８１および対向車線８２の路面は、アスファルトやコンクリートからなる普通舗装路であり、自車線８１上に、ウェット時低μ路であるマンホールＭ７が存在し、対向車線８２上にマンホールＭ８が存在している。
【００６４】
この図では、自車である鞍乗型車両１が所定の曲率を超える曲率半径Ｒを有するカーブ路８０を走行中である。一般的に、カーブ路では、車体を旋回方向に傾ける。なお、カーブ路８０の始点は、例えば、曲率半径Ｒが描く円弧の始点に設定することができる。
【００６５】
本実施形態では、カーブ路８０の自車線にマンホールＭ７が存在するため、ウェット路情報に基づいて自車の周辺の路面が濡れており、かつ所定時間内にカーブ路８０に到達すると判定されると、乗員に報知を行う。また、ウェット路情報に基づいて自車の周辺の路面が濡れており、かつ所定時間内にマンホールＭ７に到達すると判定されることで報知を行うように設定してもよい。いずれの場合も、対向車線８２のマンホールＭ８のみが存在する場合は、これを通過する可能性が低いとして報知を行わないように設定できる。
【００６６】
次に、報知条件の変形例として、カーブ路８０の自車線８１にマンホールＭ７が存在しても、慣性センサ１４により検知される車体のロール角が所定値より小さいときには、報知を行わないように設定できる。すなわち、ロール角が所定値より大きい状況に絞って報知を行うことができる。
【００６７】
このような付加条件には、他に、車速が所定値より大きい場合、スロットル開度センサ３７で検知されるスロットル開度が所定値より大きい場合、スロットルが急閉された場合（後輪ＷＲにエンジンブレーキがかかる）、ブレーキスイッチ２９，３８の出力信号に基づいて検知されるブレーキ操作がある場合等を含めることができる。なお、ブレーキ操作検出部は、ブレーキスイッチに限られず、例えば、油圧ブレーキの場合は、油圧センサの出力値が所定値を超えた場合とすることもできる。
【００６８】
また、上記した報知を行う際に、後輪ＷＲの駆動力を調整するトラクションコントロールシステム１５を作動させるように設定することができる。トラクションコントロールシステム１５の作動は、報知と連動してオフからオンに切り換えたり、また、報知の際にオンであった場合は作動モードをよりスリップ対策に適したレインモードに切り替えるように設定することができる。
【００６９】
図７は、ウェット時低μ路ウォーニング制御の手順を示すフローチャートである。ステップＳ１では、車載制御装置７が、ＧＰＳ機能部４０および慣性センサ１４を用いて、自車の現在位置及び進行方向を取得する。ステップＳ２では、ネットワーク通信部４３が、ネットワーク通信によりウェット路情報５１を取得する。ステップＳ３では、現在位置周辺の路面がウェット状態であるか否かが判定され、肯定判定されるとステップＳ４の交差点ウォーニング制御に移行する。なお、ステップＳ３で否定判定されると一連の制御を終了する。また、このステップＳ１〜Ｓ３の手順は、例えば、１分に１度の頻度で定期的に実行される。
【００７０】
図８は、交差点ウォーニング制御の手順を示すフローチャートである。ステップＳ１０では、車載制御装置７が、現在位置、進行方向及び車速情報が取得する。ステップＳ１１では、５秒以内（所定時間内）に交差点に到達するか否かが判定され、肯定判定されるとステップＳ１２に進む。ステップＳ１２では、交差点の直進路上にマンホールがあるか否かが判定され、肯定判定されると、ステップＳ１３に進んでウォーニング発生手段４４がウォーニング発生信号をオンすることで乗員への報知が行われる。
【００７１】
一方、ステップＳ１２で否定判定されると、ステップＳ１４に進んで、ウインカスイッチ３３のウインカ操作信号があるか否かが判定される。ステップＳ１４で肯定判定されると、ステップＳ１５に進んで、右左折後の路上にマンホールがあるか否かが判定され、肯定判定されるとステップＳ１３で乗員への報知が行われ、一連の制御を終了する。
【００７２】
そして、ステップＳ１１，Ｓ１５で否定判定されると、ステップＳ１６のカーブ路ウォーニング制御に移行する。
【００７３】
図９は、カーブ路ウォーニング制御の手順を示すフローチャートである。ステップＳ２０では、５秒以内にマンホールのあるカーブ路に到達するか否かが判定される。ステップＳ２０で肯定判定されると、ステップＳ２１では、カーブ路の曲率が所定値を超えているか否かが判定され、肯定判定されるとステップＳ２２で乗員への報知が行われ、一連の制御を終了する。
【００７４】
一方、ステップＳ２０，２１で否定判定されると、ステップＳ２３に進んで、４秒以内にマンホールに到達するか否かが判定される。ステップＳ２３で否定判定されると、マンホールが存在しないとして、そのまま一連の制御を終了する。
【００７５】
なお、ステップＳ２３の判定では、単に自車がマンホールに到達するか否かのみならず、より精度を高めた自車位置、車速およびロール角等の情報に基づいて、自車線上に存在するマンホールに乗る可能性の有無を判定するようにしてもよい。詳しくは、マンホールが自車線上に存在しても、例えば、自車線の路肩付近にマンホールが存在するのに対し、自車が自車線の中央寄りを走行すると予測される場合には、マンホールには乗らずにマンホールの側方を通過する可能性が高いとして、報知を行わないように設定することが可能である。このマンホールに乗るか否かの判定は、交差点ウォーニング制御にも適用することができる。
【００７６】
フローチャートに戻って、ステップＳ２３で肯定判定される、すなわち、４秒以内にマンホールに到達すると判定されると、ステップＳ２４に進む。ステップＳ２４では、車体のロール角が所定値を超えているか否かが判定され、肯定判定されると、ステップＳ２２で乗員への報知が行われる。
【００７７】
一方、ステップＳ２４で否定判定されると、ステップＳ２５に進んで、ブレーキ操作信号がオンか否かが判定される。ステップＳ２５で肯定判定されると、ステップＳ２２で乗員への報知が行われる。すなわち、ロール角が小さい場合でもブレーキ操作が行われていれば報知を行うものである。なお、ステップＳ２５の判定は、ブレーキ油圧が所定値を超えた等によってブレーキ操作を検出したときや、スロットルの急開および急閉を付加条件としてもよい。
【００７８】
上記したように、本発明に係る鞍乗型車両の路面状況報知装置によれば、自車の周辺の路面が濡れており、かつマンホールに代表されるウェット時低μ路が近づいた場合に乗員に報知するようにしたので、ドライ状態での報知を抑えて乗員の快適性を高めると共に、ウェット状態に絞って報知を行うことができる。
【００７９】
なお、自車位置の検出は、実施例のＧＰＳに限られず、いわゆる路車間通信、ＩＴＳ（Intelligent Transport System：高度道路交通システム）、ジャイロスコープによる自律走行によるもの、あるいはこれらを組み合わせるものであってもよい。また、交差点やカーブ路の形態、報知条件としての交差点／カーブ路およびウェット時低μ路までの距離や時間の設定、を算出するための始点の設定、交差点やカーブ路までの距離や時間を算出するための交差点やカーブ路の始点の設定、報知の付加条件の内容や組み合わせ、付加条件としてのロール角度／車速／スロットル開度に係る所定値等は、上記実施形態に限られず、種々の変更が可能である。本発明に係る鞍乗型車両の路面状況報知装置は、自動二輪車に限られず、前側２輪／後側１輪の三輪車、前側１輪／後側２輪の鞍乗型三輪車に適用することが可能である。
【符号の説明】
【００８０】
１…自動二輪車（鞍乗型車両）、４…ヘッドアップディスプレイ、７…車載制御装置（制御部）、９…雨センサ、１４…慣性センサ、１５…トラクションコントロールシステム、１６…車速センサ、２３…スピーカ、２５…ヘッドマウントディスプレイ、２９，３８…ブレーキスイッチ（ブレーキ操作検出部）、３３…ウインカスイッチ、３７…スロットル開度センサ、３９…メータインジケータ、４０…ＧＰＳ機能部（位置検知機能部）、４１…ウェット時低μ路情報、４２…運転者側通信部、４３…ネットワーク通信部、４４…ウォーニング発生手段、４５…ＣＡＮ信号送受信部、４６…バイブレータ、５０…システムサーバ、５１，６１…ウェット路情報、５５…サーバ側ウェット時低μ路情報、６０…周辺走行車両、Ｍ１，Ｍ２，Ｍ３，Ｍ４，Ｍ５，Ｍ６，Ｍ７，Ｍ８…マンホール（ウェット時低μ路）、Ｈ…ハプティックデバイス、Ｗ…ウォーニング出力装置
【図１】
0006328168.tif 000002
【図２】
0006328168.tif 000003
【図３】
0006328168.tif 000004
【図４】
0006328168.tif 000005
【図５】
0006328168.tif 000006
【図６】
0006328168.tif 000007
【図７】
0006328168.tif 000008
【図８】
0006328168.tif 000009
【図９】
0006328168.tif 000010